(57)【要約】【課題】  入力信号のアナログ値と変換されたデジタル値の関係を全て記憶するメモリ装置を保有するとともに通信機能を有する外部電源を利用することでメモリに格納すべき値を自動的に収集することができるアナログ／デジタル変換入力装置を提供することを目的とする。【解決手段】  アナログ／デジタル変換入力の機能を有し、その精度を確保するために補正を必要とする装置において、  入力信号のアナログ値と変換されたデジタル値の関係を全て記憶するメモリ装置を具備し、入力されたアナログ値を測定する際にメモリ装置に記憶されたデジタル値からアナログ値を導出する。【選択図】    図１
2005057468.tif 000002
【特許請求の範囲】
【請求項１】
アナログ／デジタル変換入力の機能を有し、その精度を確保するために補正を必要とする装置において、
入力信号のアナログ値と変換されたデジタル値の関係を全て記憶するメモリ装置を具備し、入力されたアナログ値を測定する際に前記メモリ装置に記憶されたデジタル値からアナログ値を導出することを特徴とするアナログ／デジタル変換装置。
【請求項２】
前記アナログ／デジタル関係の値を装置上のメモリに記憶するために、通信機能を有する外部電源を利用して自動的に値を収集することを特徴とする請求項１記載のアナログ／デジタル変換装置。
【発明の詳細な説明】
【技術分野】
【０００１】
本発明は、電気機器全般に用いられるアナログ／デジタル変換入力で補正を行なう装置に関する。
【背景技術】
【０００２】
アナログ／デジタル変換では、変換回路に使用されている素子のばらつきや接続ケーブル長の微妙な長短により、まったく同一特性の回路を毎回作成することは事実上不可能である。この問題を解消する技術として、アナログ／デジタル変換の場合、変換回路による入力と出力の間には比例関係が成立しているものと仮定し、原点調整にオフセット値、傾き調整にゲイン値という２値を用い補正を行うものが開示されている（例えば、特許文献１参照）。よって、この補正は変換回路毎に設定する必要があり、設定値も一定では無い。
図２において、入力された信号が変換回路で変換され出力される時、常に比例関係が成立すると仮定されている。
【特許文献１】特開２００１−２１７７１３号公報（第２図）
【発明の開示】
【発明が解決しようとする課題】
【０００３】
しかしながら、従来のアナログ／デジタル変換に使用されている変換素子は必ずしも入力値と出力値の関係が比例関係になっているとはいえずゲイン・オフセットの２値のみの補正では精度が出ないという問題があった。また、ゲイン・オフセット値を決定するためには入力レベルを変えた数パターンの入力信号を与え、その変換された値を読み出し、それらの値を計算しゲイン・オフセット値を求めるという作業が必要となる、というような問題もあった。
そこで、本発明はこのような問題点に鑑みてなされたものであり、入力信号のアナログ値と変換されたデジタル値の関係を全て記憶するメモリ装置を保有するとともに通信機能を有する外部電源を利用することでメモリに格納すべき値を自動的に収集することができるアナログ／デジタル変換入力装置を提供することを目的とする。
【課題を解決するための手段】
【０００４】
上記問題を解決するため、本発明は、次のように構成したのである。
請求項１に記載の発明は、アナログ／デジタル変換入力の機能を有し、その精度を確保するために補正を必要とする装置において、入力信号のアナログ値と変換されたデジタル値の関係を全て記憶するメモリ装置を具備し、入力されたアナログ値を測定する際に前記メモリ装置に記憶されたデジタル値からアナログ値を導出することを特徴とするものである。
このようになっているため、変換回路の入出力の比例関係が劣っていても精度良く計測することができる。
また、請求項２に記載の発明は、アナログ／デジタル関係の値を装置上のメモリ装置に記憶するために、通信機能を有する外部電源を利用して自動的に値を収集することを特徴とするものである。
このようになっているため、自動的に短時間でアナログ／デジタル変換装置の調整を正確に終了することができる。
【発明の効果】
【０００５】
本発明のメモリ装置を保有するアナログ／デジタル変換装置によれば、変換回路の入力値と出力値に厳密な比例関係が存在しなくても高精度な測定が行えるという効果がある。
また、請求項２に記載の電源装置を通信装置により制御することによって調整の自動化が可能で、調整に要する時間短縮及び誤りを排除もすることができるという効果がある。
【発明を実施するための最良の形態】
【０００６】
以下、本発明の具体的実施例を図に基づいて説明する。
【実施例】
【０００７】
図１は、本発明の実施例を示すアナログ／デジタル変換装置の構成図である。図１において、１はコントローラ、２は外部電源装置、３はアナログ／デジタル変換装置、４は情報を制御するプログラム、５はメモリ装置、６は通信装置である。コントローラ１は、外部電源装置２と通信装置６で接続されている。通信装置６の通信機能は、外部電源装置２を正確に制御できるものであればプロトコルや回線の媒体に特別な制限は存在しない。調整時、制御プログラム４は、外部電源装置２に対し通信装置６を使い指定のアナログ値を発生するよう依頼する。依頼を受けた外部電源装置２は、指定通りのアナログ値を発生させる。アナログ値発生を確認した制御プログラム４はアナログ／デジタル変換装置３によりデジタル値を得た後、指示値とデジタル値を対にして、メモリ装置５に書きこむ。５は、本発明の特徴を示すメモリ装置（不揮発性）であり、アナログ／デジタル変換のデータを全チャンネル分全て記憶し、読み出す機能を有する。外部電源装置２が必要なのは、メモリ装置５にデータを書き込む調整時のみである。
【０００８】
図２は、本発明の根幹を示すデータの概念図である。同図において変換素子のアナログ入力を電圧で±１０Ｖ、分解能を１２ビットとして表示しているが、他のアナログ入力、分解能においても同様であることは勿論である。また、図中の"Ｈ"は、１６進数を示す記号である。理想的な変換素子であれば、−１０Ｖ入力時の変換値は０００Ｈ、及び１０Ｖ入力時の変換値は０ＦＦＦＨになる。
今までのゲイン値とオフセット値による変換値補正の場合図示したように、厳密な比例関係を必要とする。しかしそれほど厳密に比例関係を示す変換素子は少なく、さらに実際は変換素子周辺の回路等の影響も受ける。
そこで、通信装置６により外部電源装置２を制御し、入力可能アナログ値の最低値から最高値まで（逆でも可）順に電圧を出力させ、その時の出力値を変換値と一緒にデータをメモリ装置に格納する。メモリ内には変換素子がとりうる全てのアナログ値（電圧値）−デジタル値の表が出来る。その内容をグラフに表した場合図２中の実際の変換で示すようなグラフとなる。全チャンネル分のデータを格納し終われば調整は終わりである。
【０００９】
図３は、メモリ装置５内に格納された１チャンネル分の表データの概念図であり、このような表データがチャンネル分存在する。実際のアナログ値測定においては、あるアナログ値が入力され、その変換値がアナログ／デジタル変換装置３から出力されたところでメモリ内にある表のデジタル値（表右側）と一致するものを探す。見つかった値と対いになっているアナログ値が今入力されているアナログ値と判断する。表内のデジタル値は、必ず降順もしくは昇順に成っているため一致する値を求めることは容易である。デジタル値が順に成っていないと言うことは、アナログ／デジタル変換装置３またはその周辺回路の故障を示すもので、故障の発見にも役立つ。
【図面の簡単な説明】
【００１０】
【図１】本発明の実施例を示す構成図（調整時）
【図２】データ補正の概念図
【図３】電圧−デジタル値の表の概念図
【符号の説明】
【００１１】
１  コントローラ
２  外部電源装置
３  アナログ／デジタル変換
４  制御プログラム
５  メモリ装置（不揮発性：フラッシュメモリ等）
６  通信装置
【図１】
2005057468.tif 000003
【図２】
2005057468.tif 000004
【図３】
2005057468.tif 000005